(57)【特許請求の範囲】
【請求項１】
落下してきた硬貨を取り込む硬貨受取部と、下部に硬貨入口を有し、当該硬貨受取部の側部に立設されたリフタ本体と、硬貨を搬送する搬送面に突起を有し、前記硬貨受取部及び前記リフタ本体に亘ってＬ字状に延びることにより平坦部及び垂直部を有した無端のＬ字状ベルト部材と、前記リフタ本体に設けられた硬貨押さえ付け部とを備え、
前記硬貨受取部で取り込んだ硬貨を前記Ｌ字状ベルト部材の平坦部に複数枚乗せて前記リフタ本体へと搬送し、この複数枚硬貨をＬ字状ベルト部材の突起で下から支持しつつ、前記垂直部及び前記硬貨押さえ付け部で挟み込みながら、当該複数枚硬貨を上方にリフトする硬貨リフタ装置であって、
前記リフタ本体の前記硬貨入口に設けられ、前記硬貨受取部の内側壁面と前記突起との間の隙間に立ち上がった硬貨と衝突することにより、当該硬貨を倒す硬貨倒し部を備え、
前記Ｌ字状ベルト部材をＬ字状に折り返すベアリングが前記垂直部及び前記平坦部の境界部分に設けられ、当該ベアリングの軸に前記硬貨倒し部が形成されていることを特徴とする硬貨リフタ装置。
【請求項２】
前記硬貨倒し部は、前記垂直部及び前記平坦部の境界部分において、前記Ｌ字状ベルト部材の垂直部及び平坦部の各搬送面に対し、前記硬貨の直径未満の距離の位置に設けられている
ことを特徴とする請求項１に記載の硬貨リフタ装置。
【請求項３】
落下してきた硬貨を取り込む硬貨受取部と、下部に硬貨入口を有し、当該硬貨受取部の側部に立設されたリフタ本体と、硬貨を搬送する搬送面に突起を有し、前記硬貨受取部及び前記リフタ本体に亘ってＬ字状に延びることにより平坦部及び垂直部を有した無端のＬ字状ベルト部材と、前記リフタ本体に設けられた硬貨押さえ付け部とを備え、
前記硬貨受取部で取り込んだ硬貨を前記Ｌ字状ベルト部材の平坦部に複数枚乗せて前記リフタ本体へと搬送し、この複数枚硬貨をＬ字状ベルト部材の突起で下から支持しつつ、前記垂直部及び前記硬貨押さえ付け部で挟み込みながら、当該複数枚硬貨を上方にリフトする硬貨リフタ装置であって、
前記リフタ本体の前記硬貨入口に設けられ、前記硬貨受取部の内側壁面と前記突起との間の隙間に立ち上がった硬貨と衝突することにより、当該硬貨を倒す硬貨倒し部を備え、
先端を前記平坦部側に向けて前記硬貨入口に設けられ、前記平坦部の上で立ち上がった硬貨と衝突することにより、当該硬貨を倒す板ばね部を更に備え、
当該板ばね部と前記平坦部の搬送面とによって水平方向の硬貨の搬送路が構成されていることを特徴とする硬貨リフタ装置。
【請求項４】
前記板ばね部は、前記硬貨押さえ付け部に設けられ、前記搬送路に進入した硬貨を前記搬送面との間で挟む方向に付勢する
ことを特徴とする請求項３に記載の硬貨リフタ装置。
【請求項５】
前記垂直部とともに垂直方向の硬貨の搬送路を構成する硬貨通路壁面を備え、
当該硬貨通路壁面は、前記リフタ本体３に固定されて可動しない固定壁部と、硬貨を水平方向から垂直方向へリフトする位置に配置され、硬貨と当接した際に可動するよう取り付けられた前記硬貨押さえ付け部とによって構成され、
前記硬貨押さえ付け部及び前記板ばね部は、一体に形成されている
ことを特徴とする請求項３又は４に記載の硬貨リフタ装置。
【請求項６】
落下してきた硬貨を取り込む硬貨受取部と、下部に硬貨入口を有し、当該硬貨受取部の側部に立設されたリフタ本体と、硬貨を搬送する搬送面に突起を有し、前記硬貨受取部及び前記リフタ本体に亘ってＬ字状に延びることにより平坦部及び垂直部を有した無端のＬ字状ベルト部材と、前記リフタ本体に設けられた硬貨押さえ付け部とを備え、
前記硬貨受取部で取り込んだ硬貨を前記Ｌ字状ベルト部材の平坦部に複数枚乗せて前記リフタ本体へと搬送し、この複数枚硬貨をＬ字状ベルト部材の突起で下から支持しつつ、前記垂直部及び前記硬貨押さえ付け部で挟み込みながら、当該複数枚硬貨を上方にリフトする硬貨リフタ装置であって、
前記リフタ本体の前記硬貨入口に設けられ、前記硬貨受取部の内側壁面と前記突起との間の隙間に立ち上がった硬貨と衝突することにより、当該硬貨を倒す硬貨倒し部を備え、
前記硬貨受取部の内側壁面に設けられ、硬貨が前記硬貨倒し部に至る前に衝突することにより、当該硬貨を倒す先行硬貨倒し部を更に備えたことを特徴とする硬貨リフタ装置。
【発明の詳細な説明】
【技術分野】
【０００１】
本発明は、取り込んだ硬貨をリフトして外部に排出する硬貨リフタ装置に関する。
【背景技術】
【０００２】
従来、自動販売機や駐車料金自動精算機等には、投入現金清算後の釣り銭である硬貨を受け取り、これをリフトして外部に排出する硬貨リフタ装置が周知である（例えば特許文献１〜４等）。この種の硬貨リフタ装置は、硬貨識別装置等の上流の装置から落とされた釣り銭硬貨を硬貨受取部で一括して取り込み、この硬貨群を内部のベルト部材によって上方にリフトアップして、硬貨排出部から外部に排出する。
【先行技術文献】
【特許文献】
【０００３】
【特許文献１】特許第２７０１５０５号公報
【特許文献２】実開平１−１６０５８１号公報
【特許文献３】特開２００３−２２４６６号公報
【特許文献４】特開平３−１７１２８０号公報
【発明の概要】
【発明が解決しようとする課題】
【０００４】
しかし、この種の硬貨リフタ装置では、硬貨をベルト部材で上方に引き上げて搬送する関係上、ベルト部材でうまく搬送されていないときには、硬貨がリフタの入口箇所で滞留してしまう可能性があった。この問題は、硬貨が立ったままベルト部材の上面を回転し続ける、いわゆる硬貨ローリング等が発生すると顕著になることが知見された。よって、硬貨を確実にリフトアップできる技術開発のニーズがあった。
【０００５】
本発明の目的は、硬貨のリフト時、硬貨の滞留を発生し難くすることができる硬貨リフタ装置を提供することにある。
【課題を解決するための手段】
【０００６】
前記問題点を解決するために、本発明では、落下してきた硬貨を取り込む硬貨受取部と、下部に硬貨入口を有し、当該硬貨受取部の側部に立設されたリフタ本体と、硬貨を搬送する搬送面に突起を有し、前記硬貨受取部及び前記リフタ本体に亘ってＬ字状に延びることにより平坦部及び垂直部を有した無端のＬ字状ベルト部材と、前記リフタ本体に設けられた硬貨押さえ付け部とを備え、前記硬貨受取部で取り込んだ硬貨を前記Ｌ字状ベルト部材の平坦部に複数枚乗せて前記リフタ本体へと搬送し、この複数枚硬貨をＬ字状ベルト部材の突起で下から支持しつつ、前記垂直部及び前記硬貨押さえ付け部で挟み込みながら、当該複数枚硬貨を上方にリフトする硬貨リフタ装置であって、前記リフタ本体の前記硬貨入口に設けられ、前記硬貨受取部の内側壁面と前記突起との間の隙間に立ち上がった硬貨と衝突することにより、当該硬貨を倒す硬貨倒し部を備え、前記Ｌ字状ベルト部材をＬ字状に折り返すベアリングが前記垂直部及び前記平坦部の境界部分に設けられ、当該ベアリングの軸に前記硬貨倒し部が形成されていることを要旨とする。
【０００７】
本発明の構成によれば、硬貨受取部で受け取った硬貨をＬ字状ベルト部材でリフトして搬送する硬貨リフタ装置の場合、硬貨をリフトする硬貨入口において、Ｌ字状ベルト部材の上面で立った硬貨が、硬貨受取部の内壁面とＬ字状ベルト部材の突起との間にできる隙間に入り込む可能性がある。そこで、本発明の場合、硬貨入口に硬貨倒し部を設けることにより、硬貨受取部の内側壁面と隙間との間に立った硬貨をＬ字状ベルト部材の上面に倒すようにする。よって、硬貨をリフトする際の入口であるリフタ本体の硬貨入口において、硬貨の滞留が抑制される。
【発明の効果】
【０００８】
本発明によれば、硬貨のリフト時、硬貨の滞留を発生し難くすることができる。
【図面の簡単な説明】
【０００９】
【図１】一実施形態の硬貨リフタ装置の斜視図。
【図２】硬貨リフタ装置の縦断面図。
【図３】硬貨排出部付近の拡大図。
【図４】可動板の分解斜視図。
【図５】リフタ本体の硬貨入口付近の拡大断面図。
【図６】一方の硬貨倒し部の外観を示す斜視図。
【図７】硬貨受取部の内部に突起との間にできる隙間を示す断面図。
【図８】他方の硬貨倒し部の外観を示す斜視図。
【図９】硬貨倒し部の配置条件を示す説明図。
【図１０】落下してきた硬貨がＬ字状ベルト部材の平坦部に乗るときの動作図。
【図１１】Ｌ字状ベルト部材の平坦部を立ったまま回る硬貨を板ばね部で倒すときの動作図。
【図１２】板ばね部の上面の傾斜板に乗った硬貨を落とすときの動作図。
【図１３】硬貨群を突起で持ち上げるときの動作図。
【図１４】硬貨群をＬ字状ベルト部材の垂直部と硬貨押さえ付け部とでリフトアップするときの動作図。
【図１５】隙間に立った硬貨を硬貨倒し部で倒すときの動作図。
【発明を実施するための形態】
【００１０】
以下、本発明を具体化した硬貨リフタ装置の一実施形態を図１〜図１５に従って説明する。
［硬貨リフタ装置の全体構成］
図１に示すように、硬貨リフタ装置１には、落下してきた硬貨を受け取る硬貨受取部２と、硬貨受取部２の側部に立設されたリフタ本体３とが設けられている。硬貨受取部２の上面には、落下してきた硬貨を受け入れる開口部４が上面全域に亘り形成されている。開口部４の紙面手前側の１辺には、落下してきた硬貨を斜面により硬貨受取部２の内部に案内する斜面状の斜面状硬貨案内壁５が設けられている。リフタ本体３は、装置高さ方向（図１のＺ軸方向）に細長く延びる形状に形成され、根元に硬貨受取部２が配置されている。
【００１１】
図２に示すように、リフタ本体３の下端には、リフト時に硬貨が流れ込む硬貨入口６が形成されている。硬貨リフタ装置１の内部には、硬貨入口６導かれた硬貨を上方にリフトアップするＬ字状ベルト部材７が架設されている。Ｌ字状ベルト部材７は、硬貨受取部２及びリフタ本体３に亘りＬ字状に延びている。即ち、Ｌ字状ベルト部材７は、両端が一対のプーリ８に張設され、リフタ本体３の下端でプーリ９及び一対のベアリング１０，１１により略９０度に折り返されることにより、無端のＬ字状をなす。Ｌ字状ベルト部材７は、硬貨受取部２に位置する平坦部１２と、リフタ本体３に位置する垂直部１３とを有し、平坦部１２に乗せた複数枚硬貨を、垂直部１３により上方にリフトする。ベアリング１０，１１は、平坦部１２及び垂直部１３の境界部分１４に配置され、この境界部分１４においてＬ字状ベルト部材７を上から押さえ付けて屈曲させている。
【００１２】
図１に示すように、リフタ本体３の側壁上部には、Ｌ字状ベルト部材７を駆動させるモータ１５が取り付けられている。モータ１５は、歯車機構１６を介して上端のプーリ８に連結され、このプーリ８を回すことにより、Ｌ字状ベルト部材７を駆動させる。リフタ本体３の側壁中央には、硬貨リフタ装置１の動作を制御する制御部１７が設けられている。制御部１７は、モータ１５を駆動制御することにより、硬貨の搬送動作を実行する。
【００１３】
図３に示すように、Ｌ字状ベルト部材７には、Ｌ字状ベルト部材７で硬貨をリフトする際、硬貨を下から支持する一対の突起１８が、Ｌ字状ベルト部材７の搬送方向（図３の矢印Ａ方向）に沿って複数組形成されている。一対の突起１８は、それぞれ上下に２つの爪が並んだ形状に形成されている。一対の突起１８は、同じ組において左右同一高さに配置されている。
【００１４】
リフタ本体３の上部側壁には、Ｌ字状ベルト部材７によりリフトアップされた硬貨を外部に排出する硬貨排出部１９が設けられている。硬貨排出部１９は、リフタ本体３に位置しているＬ字状ベルト部材７の面方向（図３のＸ−Ｚ平面方向）に沿って突設されている。リフタ本体３内の頂部には、頂点までリフトアップした硬貨を硬貨排出部１９側に案内する排出ガイド部２０が設けられている。排出ガイド部２０は、略円弧状のガイド面からなる。
【００１５】
［硬貨押さえ付け部及び板ばね部の構成］
図４及び図５に示すように、リフタ本体３の基端には、金属板を略コ字状に折り曲げてなる取付板２１が固定されている。取付板２１には、１枚の金属板をＬ字状に折り曲げ形成してなる可動板２２が上下左右前後に可動自在に取り付けられている。可動板２２は、垂直方向に沿う板部分が硬貨押さえ付け部２３となり、水平方向に沿う板部分が板ばね部２４となる。このように、硬貨押さえ付け部２３及び板ばね部２４は一体に形成されている。硬貨押さえ付け部２３は、Ｌ字状ベルト部材７と協同して硬貨を複数枚同時にリフトする役目を持つ。板ばね部２４の先端には、略円弧状の曲面部２４ａが形成されている。板ばね部２４は、硬貨入口６に位置するとともに、先端がＬ字状ベルト部材７の平坦部１２側を向き、平坦部１２の上に立ち上がった硬貨と衝突することにより、硬貨を寝た状態に倒す役目を持つ。
【００１６】
硬貨押さえ付け部２３には、上下に並ぶ一対の突部２５が設けられ、これら突部２５がばね材２６を介して取付板２１の一対の長孔２７に遊嵌されている。さらに、この状態で突部２５に形成された溝に図示しないＥリングを嵌め込むことにより、硬貨押さえ付け部２３が取付板２１に取り付けられている。ばね材２６は、例えば円錐コイルばねからなる。また、板ばね部２４の上面には、ばね機能を有する傾斜板２８が取り付け固定され、傾斜板２８の開口孔２８ａに、取付板２１の下端に形成された規制片２９が遊嵌されている。傾斜板２８は、上面に乗り上げた硬貨を下方に落とすように急勾配の傾きで取り付けられている。規制片２９は、傾斜板２８の上面に乗り上げた硬貨が硬貨押さえ付け部２３と取付板２１に囲まれた隙間に入り込まないようにする為に設けられている。以上の構造により、可動板２２は、取付板２１に対して上下左右前後に動く。
【００１７】
［硬貨リフタ装置の搬送路の構成］
図５に示すように、硬貨入口６には、水平方向の硬貨の搬送路（水平方向硬貨搬送路３０と記す）が設けられている。水平方向硬貨搬送路３０は、板ばね部２４と平坦部１２の搬送面３１とによって囲まれる領域からなる。板ばね部２４は、水平方向硬貨搬送路３０に進入した硬貨を、Ｌ字状ベルト部材７の搬送面との間で挟む方向に付勢する。なお、水平方向硬貨搬送路３０が水平方向の硬貨の搬送路に相当する。
【００１８】
リフタ本体３の内部には、垂直方向（鉛直方向）の硬貨の搬送路（垂直方向硬貨搬送路３２）が設けられている。垂直方向硬貨搬送路３２は、垂直部１３の搬送面３３と、リフタ本体３の２枚の固定側壁３４と、硬貨押さえ付け部２３とによって囲まれる領域からなる。即ち、垂直方向硬貨搬送路３２の硬貨受取部２側の壁面３５は、固定側壁３４の壁面３４ａと硬貨押さえ付け部２３の内面２３ａとによって形成される。Ｌ字状ベルト部材７は、垂直方向硬貨搬送路３２を形成する部分の裏面が平板状の支持板７ａにガイドされている。なお、垂直方向硬貨搬送路３２が垂直方向の硬貨の搬送路に相当し、固定側壁３４が固定壁部に相当し、硬貨受取部２側の壁面３５が硬貨通路壁面に相当する。
【００１９】
［硬貨倒し部の構成］
図５〜図８に示すように、各ベアリング１０，１１の隣位置には、硬貨がベアリング１０，１１に当接しないように硬貨を内方へ案内する硬貨案内部３６，３７が設けられている。各硬貨案内部３６，３７の先端には、流れてきた硬貨を内方に案内する斜面部３８，３９が形成されている。硬貨案内部３６，３７は、ベアリング１０，１１が水平方向硬貨搬送路３０上に露出しないように、これらを隠す役目を持つ。また、硬貨案内部３６，３７は、板ばね部２４を下から支持する役目も持つ。
【００２０】
図７に示すように、リフタ本体３の硬貨入口６には、硬貨案内部３６，３７の内側壁面４０，４１と突起１８との間の隙間Ｈに立ち上がった硬貨と衝突することにより、硬貨を寝た状態に倒す硬貨倒し部４２，４３が設けられている。硬貨倒し部４２，４３は、左右に一対配置されたベアリング１０，１１の各軸１０ａ，１１ａに一体形成されるとともに、円錐状に形成されている。硬貨倒し部４２，４３は、ベアリング１０，１１の軸１０ａ，１１ａに配設されることにより、平坦部１２及び垂直部１３の境界部分１４に配置されている。軸１０ａ，１１ａは、ベアリング１０，１１を回動可能に支持し、回動はしない。
【００２１】
図６〜図８に示すように、硬貨案内部３７には、硬貨が境界部分１４に至る前に硬貨を先行して寝た状態に倒す先行硬貨倒し部４４が設けられている。先行硬貨倒し部４４は、金属製であり、先端のない略円錐形状をなしている。先行硬貨倒し部４４は、硬貨案内部３７の先端に凹設された溝部３７ａに埋設されている。
【００２２】
図５〜図７に示すように、硬貨受取部２の内部において硬貨案内部３６側の内壁には、硬貨を寝た状態に倒す硬貨倒し突部４５が設けられている。硬貨倒し突部４５は、硬貨受取部２の枠を形成する金属フレームを打ち抜き等により折り曲げることによって形成されている。
【００２３】
図９に示すように、硬貨倒し部４２，４３は、Ｌ字状ベルト部材７の平坦部１２及び垂直部の境界部分１４において、平坦部１２及び垂直部１３の各搬送面３１，３３に対して、硬貨の直径Ｒ未満の距離の位置に配設されている。これは、搬送面３１上を立ったまま転がってきた硬貨を、境界部分１４において硬貨倒し部４２，４３で確実に倒すことにより、硬貨が境界部分１４で立ったままにならないようするためである。なお、このとき対象とする硬貨は、取り扱う硬貨のうち最も径の小さい硬貨（例えば１円玉など）とする。
【００２４】
次に、本例の硬貨リフタ装置１の動作を、図１０〜図１５を用いて説明する。
［通常の硬貨搬送の動作］
図１０に示すように、上方から落下してきた硬貨は、硬貨受取部２で受け取られ、これがＬ字状ベルト部材７の平坦部１２に乗る。このとき、硬貨は、重なり合って乗る場合もあるし、１枚のみ乗る場合もある。平坦部１２に乗せられた硬貨群は、Ｌ字状ベルト部材７の駆動に伴って硬貨入口６に至り、ここから水平方向硬貨搬送路３０を通じてリフタ本体３の内部に導かれる。
【００２５】
図１１に示すように、平坦部１２に乗った硬貨が立ったまま回転する、いわゆる硬貨ローリングをしてしまうこともある。この場合、回転する硬貨はＬ字状ベルト部材７の駆動に伴い板ばね部２４の先端に衝突し、平坦部１２に寝た状態に倒される。また、図１２に示すように、傾斜板２８の上面に乗った硬貨は、傾斜板２８に付けられた傾きによって下方に落下する。よって、平坦部１２で立ってしまった硬貨も、傾斜板２８に乗ってしまった硬貨も、平坦部１２に寝た状態に倒される。
【００２６】
図１３に示すように、平坦部１２に乗せられた硬貨群は、境界部分１４で一時溜められる。そして、Ｌ字状ベルト部材７の駆動に伴い、突起１８が硬貨群に至ると、突起１８が硬貨群を下からすくい上げ、上方に持ち上げる。続いて、図１４に示すように、硬貨群を突起１８で下から支持しつつ、Ｌ字状ベルト部材７の垂直部１３と、可動する硬貨押さえ付け部２３とで挟み込みながら硬貨群をリフトし、垂直部１３の頂部において硬貨群を硬貨排出部１９から外部に排出する。
【００２７】
［硬貨倒し部の動作］
図１５に示すように、本例の硬貨リフタ装置１の場合、硬貨案内部３６，３７の内側壁面４０，４１とＬ字状ベルト部材７の突起１８との間に隙間Ｈができ、この隙間Ｈに、立ち上がった硬貨（ローリングする硬貨）が入り込む状況が発生する可能性がある。これは、Ｌ字状ベルト部材７の駆動時、Ｌ字状ベルト部材７がベルト幅方向（図１５の矢印Ｂ方向）に動いて、硬貨が進入可能な隙間Ｈができてしまう場合があるからである。こうなると、隙間Ｈに立った硬貨を突起１８ですくい上げることができず、隙間Ｈに硬貨が立ち上がったまま滞留することになる。
【００２８】
本例の場合、ベアリング１０，１１の軸１０ａ，１１ａに、硬貨受取部２の内方に所定量突出する硬貨倒し部４２，４３を設けているので、隙間Ｈに立ってしまった硬貨を、硬貨倒し部４２，４３により寝た状態に倒すことが可能となる。よって、隙間Ｈに立った硬貨をＬ字状ベルト部材７に寝かせて、突起１８により上方に持ち上げることが可能となるので、垂直方向硬貨搬送路３２の根元で硬貨が滞留したままにならずに済む。
【００２９】
本実施形態の構成によれば、以下に記載の効果を得ることができる。
（１）垂直方向硬貨搬送路３２の入口付近に位置するベアリング１０，１１の軸１０ａ、１１ａに、突起状の硬貨倒し部４２，４３を設け、硬貨案内部３６，３７の内側壁面４０，４１とＬ字状ベルト部材７の突起１８との間にできた隙間Ｈに硬貨が立ち上がったとしても、この硬貨を硬貨倒し部４２，４３で倒し、Ｌ字状ベルト部材７の上面に寝かせた状態にする。よって、垂直方向硬貨搬送路３２の入口付近に硬貨が滞留せずに済む。このように、硬貨滞留防止が図られれば、硬貨の搬送漏れを防止することができる。
【００３０】
（２）硬貨倒し部４２，４３は、Ｌ字状ベルト部材７の平坦部１２及び垂直部１３の各搬送面３１，３３に対し、硬貨の直径Ｒ未満の距離に配置される。このため、隙間Ｈに立ち上がった硬貨と硬貨倒し部４２，４３との衝突が確保されるので、立ち上がった硬貨を硬貨倒し部４２，４３によって、より確実に倒すことができる。
【００３１】
（３）ベアリング１０，１１は、Ｌ字状ベルト部材７をＬ字に折り返す部材であるので、ベアリング１０，１１の配置位置は、必然的に垂直方向硬貨搬送路３２の入口となる。よって、硬貨倒し部４２，４３をベアリング１０，１１の軸１０ａ，１１ａに設けるようにすれば、硬貨倒し部４２，４３を垂直方向硬貨搬送路３２の入口に位置させることが可能となるので、硬貨倒し部４２，４３を最適位置に配置することができる。また、ベアリング１０，１１の軸１０ａ，１１ａに硬貨倒し部４２，４３を一体形成することも可能となるので、部品点数を少なく抑えることもできる。
【００３２】
（４）先端を平坦部１２側に向けた板ばね部２４を硬貨入口６に設けたので、Ｌ字状ベルト部材７の平坦部１２で硬貨が立ち上がってしまっても、これを板ばね部２４に衝突させて、Ｌ字状ベルト部材７の上面に寝かせることができる。よって、これも硬貨搬送漏れの防止に効果が高くなる。
【００３３】
（５）板ばね部２４は、Ｌ字状ベルト部材７の平坦部１２と板ばね部２４との間に入り込んだ硬貨を挟む方向に付勢する。このため、Ｌ字状ベルト部材７と板ばね部２４との間に硬貨が入り込んでも、板ばね部２４及びＬ字状ベルト部材７によって挟むようにして倒すことができる。よって、硬貨を倒し易くすることが可能となるので、これも硬貨搬送漏れの防止に効果が高くなる。
【００３４】
（６）Ｌ字状ベルト部材７の垂直部１３とともに垂直方向硬貨搬送路３２を構成する壁面３５は、リフタ本体３に固定されて可動しない固定側壁３４と、複数枚の硬貨群を挟み込むべく上下左右前後に可動する可動板２２（硬貨押さえ付け部２３）とによって形成される。このため、垂直方向硬貨搬送路３２の壁面一帯に可動板２２を設けずに済むので、硬貨リフタ装置１の構造を簡素化することができる。また、硬貨押さえ付け部２３及び板ばね部２４を一体形成したので、部品点数を少なく抑えることもできる。
【００３５】
（７）硬貨受取部２の内部に、硬貨倒し部４２，４３の手前において硬貨を倒すよう働く先行硬貨倒し部４４を設けた。このため、硬貨倒し用の突が硬貨搬送経路上に複数配設されるので、硬貨搬送漏れ防止に一層効果が高くなる。
【００３６】
なお、実施形態はこれまでに述べた構成に限らず、以下の態様に変更してもよい。
・硬貨倒し部４２，４３は、Ｌ字状ベルト部材の垂直部及び平坦部の各搬送面に対し、硬貨の直径未満の距離の位置であれば例えば硬貨案内部３６，３７の内側壁面４０，４１など、ベアリング１０，１１の軸１０ａ，１１ａ以外の箇所に設けてもよい。
【００３７】
・硬貨倒し部４２，４３の形状は、硬貨受取部の内側壁面と突起との間の隙間に立ち上がった硬貨と衝突することにより、当該硬貨を倒すものであれば、円錐状に限らず、例えば球面状や四角錐状など、他の形状に変更してもよい。
【００３８】
・先行硬貨倒し部４４は、硬貨倒し部４２，４３に先行して硬貨を倒すことができれば、どの位置に設けられていてもよい。また、先行硬貨倒し部４４の形状は、硬貨を倒すことができれば、他の形状に変更してもよい。
【００３９】
・板ばね部２４の取り付け構造は、取付板２１に対し可動するように組み付けられるのであれば、他の構造を採用してもよい。
・板ばね部２４の先端形状は、曲面状に限らず、例えば直線状でもよい。
【００４０】
・硬貨入口６を構成する板ばね部２４からなる突片を硬貨押さえ付け部２３とは別体で形成してもよい。また、硬貨押さえ付け部２３及び板ばね部２４を、別体で形成した場合、板ばね部２４は、例えばリフタ本体３に可動しないように固定された板片でもよい。
【００４１】
・同一組の一対の突起１８は、ベルト部材の幅方向に並んで設けられたものに限定されるものではなく、垂直方向に延びる向きにおいて硬貨排出部１９側の突起１８がその反対側のものよりも低くなるように配置してもよい。この場合、リフト頂点にリフトアップされた硬貨は、突起１８の高さの違いゆえに硬貨排出部１９側に転がるため、リフタ本体３からスムーズに排出することができる。
【００４２】
・突起１８の硬貨載置面は、傾斜面としてもよい。
・同一組の突起１８の個数は、３個以上でもよい。
・垂直方向硬貨搬送路３２の片側の通路面を形成する固定側壁３４の代わりに、硬貨押さえ付け部２３を通路一帯に形成し、バネを介してリフタ本体３に取り付けることで通路壁部が硬貨と当接時に動くようにしてもよい。
【００４３】
・平坦部１２及び垂直部１３は、直角に交差する向きに限定されず、直角から所定角度傾斜する向きをとってもよい。
【符号の説明】
【００４４】
１…硬貨リフタ装置、２…硬貨受取部、３…リフタ本体、６…硬貨入口、７…Ｌ字状ベルト部材、１０，１１…ベアリング、１０ａ，１１ａ…軸、１２…平坦部、１３…垂直部、１４…境界部分、１８…突起、２３…硬貨押さえ付け部、２４…板ばね部、３０…水平方向の硬貨の搬送路としての水平方向硬貨搬送路、３１…搬送面、３２…垂直方向の硬貨の搬送路としての垂直方向硬貨搬送路、３３…搬送面、３４…固定壁部としての固定側壁、３５…硬貨通路壁面としての硬貨受取部側の壁面、４０，４１…内側壁面、４２，４３…硬貨倒し部、４４…先行硬貨倒し部、Ｈ…隙間、Ｒ…直径。
【図１】
0005946687.tif 000002
【図２】
0005946687.tif 000003
【図３】
0005946687.tif 000004
【図４】
0005946687.tif 000005
【図５】
0005946687.tif 000006
【図６】
0005946687.tif 000007
【図７】
0005946687.tif 000008
【図８】
0005946687.tif 000009
【図９】
0005946687.tif 000010
【図１０】
0005946687.tif 000011
【図１１】
0005946687.tif 000012
【図１２】
0005946687.tif 000013
【図１３】
0005946687.tif 000014
【図１４】
0005946687.tif 000015
【図１５】
0005946687.tif 000016